(57)【特許請求の範囲】
【請求項１】
対向するガイド壁を有するガイド部と、前記一対のガイド壁の間に挿入した移動部が該ガイド壁に沿って往復移動する可動体と、この可動体に配設された電気部品と、この電気部品に繋がるフラットケーブルとを備えた遊技機において、
前記フラットケーブルは、前記可動体の移動に追従して変位する余剰部が、前記ガイド部に収容した状態で設けられ、
前記余剰部は、
前記移動部から前記ガイド部における一方のガイド壁に沿って前記可動体の往復移動方向に延在する第１延在部と、
前記ガイド部における他方のガイド壁に沿って前記可動体の往復移動方向に延在し、該他方のガイド壁に設けられた挿通部を通る第２延在部と、
前記一方のガイド壁と他方のガイド壁との間で円弧状に折り返して前記第１延在部および第２延在部に連なる湾曲部とを有し、
前記余剰部は、前記可動体における前記移動部の往復移動につれて、前記第１延在部および第２延在部の延在長さが変化すると共に、前記湾曲部が該可動体の往復移動方向に移り変わり、
前記移動部は、
前記他方のガイド壁との間に前記第２延在部が通過可能な隙間を画成する退避部と、
前記退避部の傍らに前記他方のガイド壁に摺接可能に設けられ、前記可動体の往復移動に際して該他方のガイド壁に案内されると共に前記第２延在部を抜け止めする摺動部とを備え、
前記移動部は、前記一方のガイド壁に案内されて、前記第２延在部に重なる位置を少なくとも含んだ範囲を移動可能に構成された
ことを特徴とする遊技機。
【請求項２】
対向するガイド壁を有するガイド部と、前記一対のガイド壁の間に挿入した移動部が該ガイド壁に沿って往復移動する可動体と、この可動体に配設された電気部品と、この電気部品に繋がるフラットケーブルとを備えた遊技機において、
前記フラットケーブルは、前記可動体の移動に追従して変位する余剰部が、前記ガイド部に収容した状態で設けられ、
前記余剰部は、
前記移動部から前記ガイド部における一方のガイド壁に沿って前記可動体の往復移動方向に延在する第１延在部と、
前記ガイド部における他方のガイド壁に沿って前記可動体の往復移動方向に延在し、該他方のガイド壁に設けられた挿通部を通る第２延在部と、
前記一方のガイド壁と他方のガイド壁との間で円弧状に折り返して前記第１延在部および第２延在部に連なる湾曲部とを有し、
前記余剰部は、前記可動体における前記移動部の往復移動につれて、前記第１延在部および第２延在部の延在長さが変化すると共に、前記湾曲部が該可動体の往復移動方向に移り変わり、
前記移動部は、前記一方のガイド壁に案内されて、前記第２延在部に重なる位置を少なくとも含んだ範囲を移動可能に構成されると共に、
前記移動部には、前記第１延在部と前記一方のガイド壁との間に、該一方のガイド壁に沿って前記湾曲部側に向けて延出する延出部が形成された
ことを特徴とする遊技機。
【発明の詳細な説明】
【技術分野】
【０００１】
この発明は、ガイド部と、該ガイド部に挿入した移動部が該ガイド部に沿って往復移動する可動体と、可動体に配設された電気部品と、電気部品に繋がるフラットケーブルとを備えた遊技機に関するものである。
【背景技術】
【０００２】
パチンコ機やスロットマシンに代表される遊技機は、遊技に関連する演出表示(図柄組合せ演出や該図柄組合せ演出に関連する映像や画像等)を行う表示装置を本体に備え、該表示装置の表示部が、該本体の前側に配設された前側部材の開口を介して機前側から視認可能になっている。そして、遊技機は、表示装置の表示部での演出表示に合わせて移動可能な可動体を備えた可動演出装置が、本体や前側部材における該表示部を囲う上下や左右に配設されたものがある(特許文献１)。ここで、特許文献１の可動演出装置は、遊技機に搭載された制御手段により制御されるモータを含む上下動機構が配設されたフレームと、該フレームに昇降移動可能に支持されると共に上下動機構に連係されたセグ装置とを備えている。また、可動演出装置は、電気部品であるセグ表示部をセグ装置に備えており、該セグ表示部に接続されたセグ用配線が、該セグ装置からフレームに渡して延在するよう配設されている。
【先行技術文献】
【特許文献】
【０００３】
【特許文献１】特開２０１１−１４２９８４号公報
【発明の概要】
【発明が解決しようとする課題】
【０００４】
特許文献１に開示された可動演出装置のフレームには、セグ装置を昇降移動可能に案内するガイド部が設けられると共に、セグ装置に配設したセグ表示部に接続されたセグ用配線を配設する配線可動領域が設けられている。すなわち、特許文献１の可動演出装置は、セグ装置が昇降移動する構成であるため、該セグ装置からフレーム側へ引き出されたセグ用配線が、該セグ装置の昇降移動に追従して配線可動領域内を動くようになっている。従って、特許文献１の可動演出装置は、セグ装置を移動可能に支持するためのガイド部およびセグ用配線を配設する配線可動領域の両方をフレームに個別に設けるようになっており、フレームをコンパクトに構成することができない課題がある。
【０００５】
そこで本発明は、前述した課題を解決するために案出されたものであって、可動体に配設した電気部品に繋がるフラットケーブルを効率よく配設した遊技機を提供することを目的とする。
【課題を解決するための手段】
【０００６】
前記課題を克服し、所期の目的を達成するため、本願の請求項１に係る発明は、
対向するガイド壁(151,152)を有するガイド部(150)と、前記一対のガイド壁(151,152)の間に挿入した移動部(120,146)が該ガイド壁(151,152)に沿って往復移動する可動体(52,53)と、この可動体(52,53)に配設された電気部品(108,128)と、この電気部品(108,128)に繋がるフラットケーブル(FW1,FW2)とを備えた遊技機において、
前記フラットケーブル(FW1,FW2)は、前記可動体(52,53)の移動に追従して変位する余剰部(165,165)が、前記ガイド部(150)に収容した状態で設けられ、
前記余剰部(165,165)は、
前記移動部(120,146)から前記ガイド部(150)における一方のガイド壁(152)に沿って前記可動体(52,53)の往復移動方向に延在する第１延在部(165a)と、
前記ガイド部(150)における他方のガイド壁(151)に沿って前記可動体(52,53)の往復移動方向に延在し、該他方のガイド壁(151)に設けられた挿通部(155,156)を通る第２延在部(165b)と、
前記一方のガイド壁(152)と他方のガイド壁(151)との間で円弧状に折り返して前記第１延在部(165a)および第２延在部(165b)に連なる湾曲部(165c)とを有し、
前記余剰部(165,165)は、前記可動体(52,53)における前記移動部(120,146)の往復移動につれて、前記第１延在部(165a)および第２延在部(165b)の延在長さが変化すると共に、前記湾曲部(165c)が該可動体(52,53)の往復移動方向に移り変わり、
前記移動部(120,146)は、
前記他方のガイド壁(151)との間に前記第２延在部(165b)が通過可能な隙間を画成する退避部(117c,138c)と、
前記退避部(117c,138c)の傍らに前記他方のガイド壁(151)に摺接可能に設けられ、前記可動体(52,53)の往復移動に際して該他方のガイド壁(151)に案内されると共に前記第２延在部(165b)を抜け止めする摺動部(117b,138b)とを備え、
前記移動部(120,146)は、前記一方のガイド壁(152)に案内されて、前記第２延在部(165b)に重なる位置を少なくとも含んだ範囲を移動可能に構成されたことを要旨とする。
【０００７】
請求項１に係る発明によれば、可動体に配設された電気部品に繋がるフラットケーブルの余剰部を、該可動体の移動部が挿入したガイド部に収容した状態で設けて、ガイド部を該フラットケーブルの配設スペースとして兼用するよう構成したので、可動体の周辺に該フラットケーブルの配設スペースを別途設ける必要がなくなり、該可動体の周辺をコンパクトに構成することができる。そして、フラットケーブルの余剰部は、可動体における移動部の往復移動につれて、第１ガイド壁に沿う第１延在部および第３ガイド壁に沿う第２延在部の延在長さが変化すると共に、第１延在部および第２延在部に連なる湾曲部が該可動体の往復移動方向に移り変わり、余剰部がガイド部内で移動しながら変形して可動体をスムーズに往復移動させ得る。また、フラットケーブルの余剰部がガイド部のガイド壁に沿って配設したので、該余剰部を安定的に配設することができる。
また、可動体の移動部に設けられた退避部により、可動体が移動する際に余剰部の第２延在部が該退避部と他方のガイド壁との間に挟み込まれないので、該フラットケーブルの損傷または断線を防止し得ると共に、可動体の移動不良の発生を防止し得る。また、移動部に設けられた摺動部が他方のガイド壁に摺接することで、可動体が該ガイドレールに沿って安定して移動するようにし得ると共に、該摺動部により余剰部をガイド部内に保持させ得る。
【０００９】
請求項２に記載の発明では、
対向するガイド壁(151,152)を有するガイド部(150)と、前記一対のガイド壁(151,152)の間に挿入した移動部(120,146)が該ガイド壁(151,152)に沿って往復移動する可動体(52,53)と、この可動体(52,53)に配設された電気部品(108,128)と、この電気部品(108,128)に繋がるフラットケーブル(FW1,FW2)とを備えた遊技機において、
前記フラットケーブル(FW1,FW2)は、前記可動体(52,53)の移動に追従して変位する余剰部(165,165)が、前記ガイド部(150)に収容した状態で設けられ、
前記余剰部(165,165)は、
前記移動部(120,146)から前記ガイド部(150)における一方のガイド壁(152)に沿って前記可動体(52,53)の往復移動方向に延在する第１延在部(165a)と、
前記ガイド部(150)における他方のガイド壁(151)に沿って前記可動体(52,53)の往復移動方向に延在し、該他方のガイド壁(151)に設けられた挿通部(155,156)を通る第２延在部(165b)と、
前記一方のガイド壁(152)と他方のガイド壁(151)との間で円弧状に折り返して前記第１延在部(165a)および第２延在部(165b)に連なる湾曲部(165c)とを有し、
前記余剰部(165,165)は、前記可動体(52,53)における前記移動部(120,146)の往復移動につれて、前記第１延在部(165a)および第２延在部(165b)の延在長さが変化すると共に、前記湾曲部(165c)が該可動体(52,53)の往復移動方向に移り変わり、
前記移動部(120,146)は、前記一方のガイド壁(152)に案内されて、前記第２延在部(165b)に重なる位置を少なくとも含んだ範囲を移動可能に構成されると共に、
前記移動部(120,146)には、前記第１延在部(165a)と前記一方のガイド壁(152)との間に、該一方のガイド壁(152)に沿って前記湾曲部(165c)側に向けて延出する延出部(116,137)が形成されたことを要旨とする。
請求項２に係る発明によれば、可動体に配設された電気部品に繋がるフラットケーブルの余剰部を、該可動体の移動部が挿入したガイド部に収容した状態で設けて、ガイド部を該フラットケーブルの配設スペースとして兼用するよう構成したので、可動体の周辺に該フラットケーブルの配設スペースを別途設ける必要がなくなり、該可動体の周辺をコンパクトに構成することができる。そして、フラットケーブルの余剰部は、可動体における移動部の往復移動につれて、第１ガイド壁に沿う第１延在部および第３ガイド壁に沿う第２延在部の延在長さが変化すると共に、第１延在部および第２延在部に連なる湾曲部が該可動体の往復移動方向に移り変わり、余剰部がガイド部内で移動しながら変形して可動体をスムーズに往復移動させ得る。また、フラットケーブルの余剰部がガイド部のガイド壁に沿って配設したので、該余剰部を安定的に配設することができる。
また、移動部から余剰部の湾曲部に向けて延出した延出部が、該余剰部の第１延在部および一方のガイド壁の間に形成されているので、ガイド部内を移動する移動部と一方のガイド壁との間に該余剰部が挟み込まれることを防止し得る。
【発明の効果】
【００１０】
本発明に係る遊技機によれば、可動体を案内するガイド部を有効利用して、該可動体に配設した電気部品に繋がるフラットケーブルの配設スペースをコンパクトに纏めることができる。
【図面の簡単な説明】
【００１１】
【図１】実施例のパチンコ機の正面図である。
【図２】実施例のパチンコ機に配設される遊技盤の正面図である。
【図３】遊技盤の後側に取り付けられる設置部材および該設置部材に取り付けられる可動演出装置を、前方右斜め上方から見た分解斜視図である。
【図４】遊技盤の後側に取り付けられる設置部材および該設置部材に取り付けられる可動演出装置を、後方左斜め上方から見た分解斜視図である。
【図５】設置部材に取り付けた可動演出装置を、第１可動体および第２可動体が待機位置にある状態で示す正面図である。
【図６】設置部材に取り付けた可動演出装置を、第１可動体および第２可動体が移動位置にある状態で示す正面図である。
【図７】図６のＸ１−Ｘ１線で破断した部分断面図である。
【図８】可動演出装置を、各構成部材を分離した状態で前方右斜め上方から見た分解斜視図である。
【図９】可動演出装置を、各構成部材を分離した状態で後方左斜め上方から見た分解斜視図である。
【図１０】(ａ)は、第１可動体および第２可動体が待機位置にある状態での作動機構を前方右斜め上方から見た斜視図であり、(ｂ)は、第１可動体および第２可動体が移動位置にある状態での作動機構を前方右斜め上方から見た斜視図である。
【図１１】(ａ)は、第１可動体および第２可動体が待機位置にある状態での作動機構を示す平面図であり、(ｂ)は、第１可動体および第２可動体が待機位置にある状態での作動機構を示す正面図である。
【図１２】(ａ)は、第１可動体および第２可動体が移動位置にある状態での作動機構を示す平面図であり、(ｂ)は、第１可動体および第２可動体が移動位置にある状態での作動機構を示す正面図である。
【図１３】(ａ)は、第２可動体に配設される可動意匠体を前方右斜め上方から見た分解斜視図であり、(ｂ)は、第２可動体に配設される可動意匠体を後方左斜め上方から見た分解斜視図である。
【図１４】前方から見た第２可動体を、移動位置と待機位置との中間にある状態および待機位置にある状態を同時に示した説明図である。
【図１５】後方から見た第２可動体を、移動位置と待機位置との中間にある状態および待機位置にある状態を同時に示した説明図である。
【図１６】第１可動体に配設された第１発光基板と中継基板とを電気的に接続する第１フラットケーブルの配設態様と、第２可動体に配設された第２発光基板と中継基板とを電気的に接続する第２フラットケーブルの配設態様とを、関連部材を分離した状態で後方左斜め上方から見た説明図である。
【図１７】第１可動体および第２可動体が待機位置にある状態において、ガイド部に配設される第１フラットケーブルおよび第２フラットケーブルの各余剰部の態様を示す説明図である。
【図１８】第１可動体および第２可動体が移動位置にある状態において、ガイド部に配設される第１フラットケーブルおよび第２フラットケーブルの各余剰部の態様を示す説明図である。
【図１９】各可動体の移動部に配設された移動部材により、ガイド部に配設されたフラットケーブルの余剰部の挟み込みおよび抜け出しが防止される構造を示す説明断面図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機)
図１に示すように、実施例に係るパチンコ機１０は、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が、開閉および着脱可能に組み付けられている。そして、図２に示すように、遊技盤２０の裏側に、所定条件の成立(後述する第１始動入賞装置３０の始動入賞口または第２始動入賞装置の始動入賞口へのパチンコ球(遊技球)の入賞)を契機として演出用の図柄(以下飾図という)を変動表示させて図柄変動演出を行う演出実行手段としての図柄表示装置４５が、着脱可能に配設されている。また、中枠１２の前面側には、遊技盤２０を透視保護するガラス板や透明な合成樹脂材により形成された透視保護板１９(図１参照)で前後に開口する窓口１３ａを覆うよう構成された装飾枠としての前枠１３が開閉可能に組み付けられると共に、該前枠１３の下部前側に、パチンコ球を貯留する上球皿１４および下球皿１５が組み付けられており、前枠１３の開閉に合わせて上球皿１４および下球皿１５も一体的に開閉するよう構成される。前枠１３には、窓口１３ａの外周を囲繞するようランプ装置１６が配設されると共に、該前枠１３の上部左右に、音声や効果音を出力可能なスピーカ１７が配設されている。すなわち、ランプ装置１６に設けられたＬＥＤ等の発光体(図示せず)を点灯・点滅したり、スピーカ１７から適宜の音声を出力することで、図柄表示装置４５の表示部４５ａでの図柄変動演出に合わせて発光演出や音声演出を行い得るよう構成されている。
【００１４】
また、図１に示すように、前枠１３の右下方位置には、中枠１２に配設された球発射装置(図示せず)および該前枠１３の裏側に配設された球送り装置(図示せず)を作動する操作ハンドル１８が設けられており、該操作ハンドル１８の回転操作により、球送り装置および球発射装置が連動して作動することで、上球皿１４に貯留されたパチンコ球が所定間隔で１球ずつ遊技盤２０に向けて連続的に発射されるようになっている。
【００１５】
(遊技盤)
遊技盤２０は、ベニヤ材や合成樹脂材により形成された略矩形状の板部材であって、図２に示すように、中枠１２に設けた遊技盤保持部(図示せず)の内縁形状に整合する外縁形成された略矩形の平板状に形成され、その前側には遊技領域２１が設けられると共に、その後側には設置部材４０が配設されている。遊技盤２０の前側には、左下部から右上部にかけて円弧状に延在する外レール２２と、この外レール２２の内側に右下部から左上部にかけて並べて配置された内レール２３と、外レール２２の右上部から内レール２３の右下部までの間の右方へ凹む湾曲形状に構成された盤面飾り部材２４等が配設されており、両レール２２,２３および盤面飾り部材２４で囲まれた内側が遊技領域２１として構成されている。また、遊技領域２１の最下方に、遊技領域２１を流下したパチンコ球を遊技盤２０の裏側へ排出するアウト口２５が形成されている。これにより、前枠１３の上球皿１４から中枠１２に配設された球発射装置へ案内されて、該球発射装置から発射されたパチンコ球は、外レール２２と内レール２３との間を通って遊技領域２１の左上部に打ち出された後に該遊技領域２１内を流下し、該パチンコ球の一部が始動入賞装置３０、特別入賞装置３２または普通入賞具３３等に入賞し、これらに入賞しないパチンコ球は、アウト口２５から遊技盤２０の裏側へ排出されるようになっている。
【００１６】
遊技盤２０には、前後に貫通する複数の装着口が開設されており、該装着口には、各種の遊技盤設置部品(具体的には枠状装飾体２６、第１始動入賞装置３０、特別入賞装置３２、ゲート部材３４、普通入賞具３３等が各装着口に対し前側から取り付けられる。すなわち、遊技盤２０の略中央において前後に開口する大きな装着口には、図２に示すように、前後に開口した演出窓口２６ａが形成されたセンター役とも称される枠状装飾体２６が配設されており、該演出窓口２６ａ内が演出領域とされている。枠状装飾体２６は、複数の装飾部材を環状に連結してユニット化されており、設置部材４０の後側に着脱可能に配設された図柄表示装置４５の表示部４５ａで演出表示される遊技内容に合わせた所定の装飾等が施されている。そして、枠状装飾体２６の演出窓口２６ａには、設置部材４０に配設された図柄表示装置４５の表示部４５ａや、該設置部材４０の前側に配設される後述の可動演出装置５０や、その他の演出装置および装飾部品等が臨むようになっている。
【００１７】
図２示すように、枠状装飾体２６の演出窓口２６ａに臨む下側部分に、パチンコ球が転動可能なステージ部２７が左右に延在して設けられていると共に、該ステージ部２７の後側に、透明な部材から形成された透明保護部材２８が配設されている。この透明保護部材２８は、枠状装飾体２６の左部に形成された球通入口２９からステージ部２７へ導入されて該ステージ部２７を左右に転動するパチンコ球が、該ステージ部２７の後方へ落下するのを防止する。なお、透明保護部材２８は、図柄表示装置４５の表示部４５ａの下部と前後に重なっているが、透明な部材であるから該表示部４５ａの透視を阻害するものではない。ステージ部２７の左右中央、すなわち第１始動入賞装置３０の直上となる位置には、該第１始動入賞装置３０に向けてパチンコ球を排出する凹部２７ａが、前下がりの傾斜状に形成されている。
【００１８】
遊技盤２０の遊技領域２１内の下方に形成された装着口には、図２に示すように、遊技領域２１における枠状装飾体２６の左右中央下部に第１始動入賞装置３０が配設されている。遊技領域２１において、枠状装飾体２６の右側には、装飾部材３７に隠れて第２始動入賞装置(図示せず)が配設されている。また、遊技盤２０の遊技領域２１内において、第１始動入賞装置３０が配設される装着口の右側に形成された装着口には、特別入賞装置３２が配設されると共に、枠状装飾体２６の右部分には、別の特別入賞装置３２が配設されている。更に、遊技盤２０の遊技領域２１内において、第１始動入賞装置３０が配設される装着口の左側に形成された装着口には、普通入賞具３３配設されている。そして、遊技盤２０の遊技領域２１内には、多数の遊技釘３５が打設されると共に、回転案内具３６およびゲート部材３４等が配設されている。なお、装着口の形成数は、遊技盤２０に取り付けられる各種遊技盤設置部品の個数や配設位置等により必要に応じて適宜変更される。
【００１９】
(始動入賞装置)
第１始動入賞装置３０は、始動入賞口が遊技領域２１内で常に上方へ開口する常時開放タイプの入賞口とされ、遊技領域２１を流下するパチンコ球が常時一定の確率で入賞可能に構成されている。また、図示しない第２始動入賞装置は、該遊技領域２１に開口する始動入賞口を開閉自在に閉成する開閉部材を備えており、駆動手段の駆動に伴って開閉部材が閉鎖する閉鎖位置と開放する開放位置とに変位して、該開閉部材が開放位置に変位した際に始動入賞口が開口するよう構成されている。すなわち、第１始動入賞装置３０は、遊技領域２１を流下するパチンコ球が常時一定の確率で入賞可能に構成され、第２始動入賞装置は、遊技領域２１に配設されたゲート部材３４をパチンコ球が通過したことを条件として実施される普図当り判定(普図当り抽選)の結果に応じて開閉部材が開閉することで、パチンコ球の入賞確率を可変し得るよう構成されている。そして、第１始動入賞装置３０および第２始動入賞装置は、始動入賞口に入賞したパチンコ球を検出する始動入賞センサが配設されており、該始動入賞センサによる球検出信号が、中枠１２の裏側に配設された主制御装置(図示せず)入力される。そして、各始動入賞センサによるパチンコ球の検出(すなわち第１始動入賞装置３０または第２始動入賞装置へのパチンコ球の入賞)を契機として、所定数のパチンコ球が賞球として払い出されるようになっている。また、始動入賞センサによるパチンコ球の検出を契機として、図柄表示装置４５の表示部４５ａにおいて図柄変動演出が行われる。
【００２０】
(特別入賞装置)
第１始動入賞装置３０の右隣りに配設された特別入賞装置３２は、横長に開口する特別入賞口を開閉する開閉部材３２ａを備えており、駆動手段の駆動に伴って板状の開閉部材３２ａが前後方向へ回動することで特別入賞口を開閉するようになっている。枠状装飾体２６の右側部分に配設された特別入賞装置３２は、左右方向へ回動する開閉部材３２ａを備えており、駆動手段の駆動に伴って開閉部材３２ａが閉鎖位置から開放位置へ回動することで特別入賞口が画成されるよう構成されている。また、各特別入賞装置３２には、特別入賞口に入賞したパチンコ球を検出する特別入賞検出手段としての特別入賞センサ(図示せず)が設けられて、該特別入賞センサはメイン制御基板に配線接続されており、該特別入賞センサからメイン制御基板への入賞検出信号の入力に伴って所定数(実施例では１５個)の賞球が払い出されるようになっている。ここで、特別入賞装置３２の駆動手段は、第１始動入賞装置３０または第２始動入賞装置へのパチンコ球の入賞を契機として各特別入賞装置３２の特別入賞口を開放する当り遊技(大当り遊技)が付与される場合に、当りの種類に応じた所定の開閉条件に従ってメイン制御基板によって駆動制御され、開閉部材３６ａが回動することで特別入賞口に対して多数のパチンコ球が入賞可能となる。
【００２１】
(設置部材)
設置部材４０は、図３および図４に示す如く、遊技盤２０の外郭形状より僅かに小さい形状に形成された略矩形状の設置壁部４１と、該設置壁部４１の外周縁部から前方に突出する外周壁部４２とを備え、設置壁部４１から前方に開口した箱状に形成されて、外周壁部４２の開口前端部を遊技盤２０の後面に当接させた状態で、当該遊技盤２０に設置部材４０がネジ止め固定される。そして、設置部材４０における設置壁部４１の前側には、遊技盤２０の後面との間に空間が画成され、該空間には、実施例の可動演出装置５０や、その他の演出装置および装飾部材等(図示せず)が配設される。設置壁部４１は、その後面に図柄表示装置４５が着脱自在に取り付けられると共に、枠状装飾体２６の演出窓口２６ａと前後に整列する位置に、略矩形状の表示開口４３が前後に開口するよう開設される。表示開口４３には、設置壁部４１の後面に取り付けた図柄表示装置４５の表示部４５ａが後方から臨むようになり、表示開口４３および演出窓口２６ａを介して図柄表示装置４５の表示部４５ａが遊技盤２０の前側に臨むようになっている。設置壁部４１は、図３よび図４に示すように、中央に開口する表示開口４３の左方に位置する左板部４１ａ、表示開口４３の右方に位置する右板部４１ｂ、表示開口４３の上方に位置する上板部４１ｃおよび下方に位置する下板部４１ｄから構成されている。設置壁部４１における上板部４１ｃおよび下板部４１ｄの前側に、可動演出装置５０が取り付けられるようになっている。
【００２２】
(図柄表示装置)
図柄表示装置４５は、各種図柄を表示可能な表示部４５ａをなす液晶パネルが収容ケースに収容されたユニット部材であって、該収容ケースの後面には、該図柄表示装置４５の表示部４５ａの表示制御を行う表示制御装置と、当該パチンコ機１０の遊技演出を統括的に制御する統括制御基板が収容された統括制御装置が配設されている。図柄表示装置４５の表示部４５ａには、飾図を変動表示可能な図柄列が複数列(例えば３列)設定されており、第１始動入賞装置３０または第２始動入賞装置へのパチンコ球の入賞を契機として、各図柄列の飾図が変動開始されると共に背景画像等が表示され、選択された図柄変動演出(リーチ演出や外れ演出等)を行った後に、予め決定された最終停止図柄を、入賞ライン上に停止表示するようになっている。なお実施例では、図柄表示装置４５として、表示部４５ａが液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００２３】
(主制御装置)
実施例のパチンコ機１０の遊技を総合的に制御する主制御装置の主制御基板は、設置部材４０における設置壁部４１の下板部４１ｂの後側(図柄表示装置４５の配設位置の下側)に、基板ケースに収容されて配設されている。主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。
【００２４】
主制御基板は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御基板では、第１始動入賞装置３０または第２始動入賞装置の始動入賞センサから検出信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行う。また主制御基板では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行う。なお、変動パターンテーブルから決定される大当り演出およびはずれ演出の変動パターンは、少なくとも図柄変動ゲームの変動時間および演出内容を特定するものである。そして、パチンコ機１０では、主制御基板の大当り判定の結果に応じて出力された統括制御基板の制御信号に基づいて、図柄表示装置４５に所定の演出表示を行わせると共に、主制御基板の制御により出力された球払出しに係る制御信号に基づいて、図示しない球払出装置によって所定数の賞球が上球皿１４へ払い出される。
【００２５】
(統括制御装置)
統括制御装置の統括制御基板には、統括制御ＣＰＵが備えられると共に、該統括制御ＣＰＵには、統括制御ＲＯＭおよび統括制御ＲＡＭが接続されている。また、統括制御ＣＰＵは、実行可否判定用乱数や動作演出パターン抽選用乱数等の各種乱数の値を所定の周期毎に更新し、更新後の値を統括制御ＲＡＭの設定領域に記憶(設定)して更新前の値を書き換えている。更に、統括制御ＲＯＭには、図柄表示装置４５の表示部４５ａにおける演出内容を制御する表示制御基板、ランプ装置１６を制御するランプ制御基板を統括的に制御するプログラムや、スピーカ１７を制御する音制御基板等を統括的に制御するプログラムや、可動演出装置５０およびその他の演出装置を作動制御するプログラム等が記憶されている。
【００２６】
統括制御ＣＰＵは、各種制御コマンドを入力すると、統括制御プログラムに基づき各種制御を実行する。例えば、統括制御基板では、主制御基板のメイン制御ＣＰＵから変動パターン指定コマンドが入力されると、統括制御ＣＰＵが統括制御ＲＯＭから実行可否判定用乱数を取得し、この実行可否判定用乱数と統括制御ＲＯＭに記憶されている実行可否判定値とを比較し、実施例の可動演出装置５０の可動体演出を実行するか否かの実行可否判定を行う。そして、統括制御基板は、実行可否判定の結果が肯定の場合において、可動演出装置５０を動作させる。
【００２７】
(可動演出装置)
次に、可動演出装置５０につき、図面を引用して説明する。なお、以下の説明において、可動演出装置５０の「前」、「後」、「左」、「右」とは、特に断りのない限り、設置部材４０の設置壁部４１に取り付けた当該可動演出装置５０をパチンコ機１０の前側から見た状態で指称する。
【００２８】
可動演出装置５０は、図３〜図５に示すように、設置部材４０の設置壁部４１の前側に取り付けられ、支持体５１に配設された作動機構５４の作動に伴って、待機位置および該待機位置から離間した移動位置の間を往復移動可能に構成された可動体５２,５３を備えている。実施例の可動演出装置５０は、左右方向で隣り合う一対の可動体５２,５３を支持体５１に備えており、作動機構５４の作動に伴って、各可動体５２,５３が夫々に設定された待機位置(第１位置)および移動位置(第２位置)の間を移動するよう構成されている(以降、正面左側の可動体５２を「第１可動体」と指称すると共に、正面右側の可動体５３を「第２可動体」と指称する)。支持体５１は、設置部材４０における設置壁部４１の上板部４１ｃに取り付けられ、第１可動体５２および第２可動体５３は、支持体５１に配設された作動機構５４に夫々の上部が連係されている。そして、第１可動体５２および第２可動体５３は、作動機構５４に懸下した状態に配設されると共に、設置壁部４１の下板部４１ｃに設けられたガイド部１５０に夫々の下部が係合され、作動機構５４の作動に伴って表示開口４３の前側(演出窓口２６ａの後側)において、待機位置および移動位置の間を移動するようになっている。
【００２９】
(支持体)
支持体５１は、設置部材４０における設置壁部４１の上板部４１ｃに前側から固定される(図３〜図６参照)。支持体５１は、図３、図４および図７〜図９に示すように、左右方向に細長い板状のベース基板５６と、該ベース基板５６の外周縁に沿って延在すると共に、該外周縁から該ベース基板５６の裏側(設置壁部４１の上板部４１ｃ側)へ延出する外周壁５７とを備えている。支持体５１は、ベース基板５６の左右長が上板部４１ｃの左右長より僅かに小さく、設置部材４０へ取り付けた際には、該支持体５１の左部分が、表示開口４３の左開口縁よりも左方へ延出して左板部４１ａの上方に位置すると共に、該支持体５１の右部分が、表示開口４３の右開口縁よりも右方へ延出して右板部４１ｂの上方に位置している。外周壁５７は、ベース基板５６の外縁における下縁の左半分を除いた部分に、該外縁に沿って延在するよう形成されている。そして、支持体５１は、外周壁５７の突出端(後端)を設置壁部４１における上板部４１ｃの前面に当接させた状態で、該上板部４１ｃに複数のネジにより固定されるようになっている。これにより、上板部４１ｃの前面とベース基板５６の裏面との間には、作動機構５４における第３連係手段９０および第４連係手段９５が収容可能な空間が画成されるようになっている(図７参照)。
【００３０】
ベース基板５６には、図８および図９に示すように、第１可動体５２および第２可動体５３を夫々の待機位置および移動位置の間で移動させる作動機構５４と、該作動機構５４を作動させる駆動手段としての駆動モータ５５が配設される。ここで、実施例の作動機構５４は、支持体５１の表裏方向における一面(実施例では表面５６ａ)側に配設されて駆動モータ５５と連係する第１連係手段８０と、支持体５１の表裏方向における表面５６ａ側および反対の他面(実施例では裏面５６ｂ)側の両方へ臨むよう配設された第２連係手段８５と、支持体５１の裏面５６ｂ側に配設された第３連係手段９０および第４連係手段９５とを備えている。
【００３１】
(モータベース)
図３〜図６、図８および図９に示すように、支持体５１におけるベース基板５６の表面左部には、駆動モータ５５を該支持体５１に固定するモータベース(取付部材)７０が取り付けられる。モータベース７０は、略台形板状をなすモータ固定板７１と、該モータ固定板７１の外縁からベース基板５６側へ延出した外周板７２とを備えている。モータベース７０は、モータ固定板７１に設けられたネジ挿通孔を介して挿通したネジを、支持体５１のベース基板５６に設けた複数(実施例では２つ)のベース固定部５８に締結することで、外周板７２の突出端がベース基板５６の表面に当接した状態で該支持体５１に固定され、該ベース基板５６の表面とモータ固定板７１との間に、駆動ギア７６を収容可能な空間を画成するようになっている。モータ固定板７１は、駆動モータ５５の駆動軸５５ａが挿通可能な軸挿通孔７３と、該駆動モータ５５を固定するネジが締結されるネジ締結孔７４が設けられている。また、モータベース７０の右部には、後方へ延出した第１連係支軸５９が設けられている。第１連係支軸５９には、駆動ギア７６に噛合する従動ギア７７および第１連係手段８０を構成する後述のギア(第１ギア)８０Ａが回転可能に配設される。なお、ベース固定部５８は、ベース基板５６の前面から前方へ延出した複数(実施例では２つ)のボスであって、各ベース固定部５８の延出端には、モータベース７０を固定するネジが締結するネジ締結孔が形成されている。
【００３２】
(駆動モータ)
駆動手段としての駆動モータ５５は、図８〜図１０に示すように、モータ本体にギアボックスを備えた電動モータであり、該ギアボックスから駆動軸５５ａが延出している。駆動モータ５５は、モータベース７０のモータ固定板７１の表面に、駆動軸５５ａを後方に向けた姿勢でネジ締結孔７４に締結したネジにより固定され、軸挿通孔７３から該モータ固定板７１の裏側へ延出した該駆動軸５５ａに駆動ギア７６が固定されている。そして、第１連係支軸５９に回転自在に配設された従動ギア７７が、駆動ギア７６に噛合するようになっている。なお、従動ギア７７は、図１０に示すように、第１連係手段８０の第１連係ギア８０Ａと一体に形成されている。
【００３３】
(第１連係手段)
第１連係手段８０は、図１０〜図１２に示すように、駆動モータ５５と連係し、該駆動モータ５５の駆動に伴って、支持体５１の表面５６ａにおいて定位置で回転するようになっている。第１連係手段８０は、駆動モータ５５の駆動ギア７６に噛合するギアおよび第２連係手段８５に噛合するギアを含む複数のギアを、第３連係手段９０の往復移動方向へ並べて構成されている。実施例では、第３連係手段９０および第４連係手段９５の往復移動方向において離間する駆動モータ５５と第２連係手段である第２連係ギア８５との間に、該第３連係手段９０および第４連係手段９５の移動方向である左右方向に並んだ４つのギア(第１〜第４連係ギア８０Ａ,８０Ｂ,８０Ｃ,８０Ｄ)から第１連係手段８０が構成されている。すなわち、第１連係手段８０は、従動ギア７７と一体に形成された第１ギア８０Ａと、第１ギア８０Ａの右側に位置して該第１ギア８０Ａに噛合する第２ギア８０Ｂと、第２ギア８０Ｂの右側に位置して該第２ギア８０Ｂに噛合する第３ギア８０Ｃと、第３ギア８０Ｃの右側に位置して該第３ギア８０Ｃおよび第２連係ギア８５に噛合する第４ギア８０Ｄとを備え、第１〜第４ギア８０Ａ,８０Ｂ,８０Ｃ,８０Ｄはほぼ直線状に配列されている。第１〜第４ギア８０Ａ,８０Ｂ,８０Ｃ,８０Ｄは、直径に比べて軸方向の厚みが小さい円板状の平歯車であり、中心には、第１連係支軸５９が挿通する軸支孔８１が設けられている。
【００３４】
(第１連係支軸)
図８に示すように、モータベース７０の右部には、前述したように第１ギア８０Ａを回転自在に支持する第１連係支軸５９が、後方へ延出するよう突設されると共に、ベース基板５６の表面５６ａにおける左右中央から左寄りに、第２〜第４ギア８０Ｂ,８０Ｃ,８０Ｄを回転自在に支持する第１連係支軸５９,５９,５９が、前方へ延出するように突設されている。４つの各第１連係支軸５９は、左右方向へ離間してほぼ直線状に配置されている。なお、第２〜第４ギア８０Ｂ,８０Ｃ,８０Ｄを回転自在に支持する第１連係支軸５９,５９,５９の前方への延出長さは、該第２〜第４ギア８０Ｂ,８０Ｃ,８０Ｄの厚みより大きく設定されており、各第１連係支軸５９,５９,５９の延出端は、支持体５１の表側に取り付けられる装飾カバー部材６０の裏面に当接するようになっている。これにより、第１連係支軸５９,５９,５９に配設された第２〜第４ギア８０Ｂ,８０Ｃ,８０Ｄは、装飾カバー部材６０により、該第１連係支軸５９,５９,５９からの脱落が防止されている。
【００３５】
(第２連係ギア)
第２連係手段８５は、図１０〜図１２に示すように、第１連係手段８０に連係して該第１連係手段８０の回転に連動して定位置で回転するようになっている。具体的に実施例では、第２連係手段は１つのギアから構成されている。第２連係手段としての第２連係ギア８５は、その軸方向の歯幅が、ベース基板５６の表裏方向の厚みより大きく設定されており、実施例では、ベース基板５６の厚みの３〜４倍の歯幅のものが採用されている。第２連係ギア８５には、厚み方向に貫通する軸支孔８６が設けられている。
【００３６】
(第２連係支軸)
ベース基板５６の左右略中央には、図７〜図９に示すように、ベース基板５６の表面５６ａ側へ突出して該ベース基板５６の裏面５６ｂから凹むと共に、後方へ開口する凹部６１が形成されており、該凹部６１には、第２連係ギア８５の一部が収容可能となっている。凹部６１には、後方へ延出する第２連係支軸６２が突設されており、該第２連係支軸６２が軸支孔８６に挿通されることで、第２連係ギア８５が該第２連係支軸６２に回転自在に配設される。凹部６１は、ベース基板５６の表面５６ａより前方へ突出しており、該凹部６１における前後方向に延在する周壁には、第１連係手段８０の第４ギア８０Ｄが臨む開口６３が形成されている(図７、図８参照)。これにより、第２連係支軸６２に回転自在に配設された第２連係ギア８５は、図７に示すように、ベース基板５６の表面５６ａおよび裏面５６ｂの両方に臨むように配設される。そして、第２連係ギア８５は、開口６３を介して凹部６１内に臨んだ第４ギア８０Ｄと噛合している。
【００３７】
(第３連係手段および第４連係手段)
第３連係手段９０は、図８、図１０〜図１２に示すように、第２連係ギア８５の上側に配設されて該第２連係手段８５に連係すると共に第２可動体５３に連係し、該第２連係手段８５の回転に連動して支持体５１に沿って直線的に往復移動して、第２可動体５３を待機位置および移動位置の間で移動させるようになっている。また、第４連係手段９５は、第２連係ギア８５の下側に配設されて第２連係手段８５に連係すると共に第１可動体５２に連係し、該第２連係手段８５の回転に連動して支持体５１に沿って第３連係手段９０と反対に直線的に往復移動して、第１可動体５２を待機位置および移動位置の間で移動させるようになっている。ここで、第３連係手段９０は、第２連係ギア８５に噛合するラックギアであり、支持体５１の表裏方向において、第１連係手段８０における第１〜第４ギア８０Ａ,８０Ｂ,８０Ｃ,８０Ｄの少なくとも１つと重なる範囲を移動するよう構成されている。実施例では、第３連係手段９０は、第１連係手段８０における第１〜第４ギア８０Ａ,８０Ｂ,８０Ｃ,８０Ｄの全てと重なる範囲を移動するようになっている。
【００３８】
第３連係手段９０および第４連係手段９５は、図８〜図１２に示すように、夫々の移動方向である左右方向に長尺で、かつ前後寸法が小さい細長の部材である。第３連係手段９０は、その下縁において左右方向に延在して第２連係ギア８５に噛合する歯部９０ａが設けられると共に、第４連係手段９５は、その上縁において左右方向に延在して第２連係ギア８５に噛合する歯部９５ａが設けられている。第３連係手段９０の前面右部には、前後に延在する支軸に回転自在に配設される第１ガイドローラ９１,９１が、該第３連係手段９０の移動方向に離間して複数(実施例では２つ)備えられていると共に、第４連係手段９５の前面左部には、前後に延在する支軸に回転自在に配設される第２ガイドローラ９６,９６が、該第４連係手段９５の移動方向に離間して複数(実施例では２つ)備えられている。第１ガイドローラ９１,９１は、支持体５１のベース基板５６に設けられた後述の第２ガイド溝８８に回転自在に係合され、第１ガイドローラ９１,９１が第２ガイド溝８８に沿って移動することで第３連係手段９０を左右方向へ移動可能に支持すると共に、第２ガイドローラ９６,９６は、支持体５１のベース基板５６に設けられた後述の第１ガイド溝８７に回転自在に係合され、第２ガイドローラ９６,９６が第１ガイド溝８７に沿って移動することで第４連係手段９５を左右方向へ移動可能に支持する。そして、第３連係手段９０の前面右部には、第２可動体５３の上部と連結される取付片９２が、下方へ延出した状態で設けられると共に、第４連係手段９５の前面左部には、第１可動体５２の上部と連結される取付片９７が、下方へ延出した状態で設けられる。第３連係手段９０の取付片９２は、該第３連係手段９０とは別体に形成されたもので、第１ガイドローラ９１,９１を支持する支軸の前端に取り付けられ、支持体５１のベース基板５６の表面５６ａの前側に位置して、支持体５１の表裏方向において、第４連係手段９５の移動範囲と重なっている(図３、図８、図９参照)。すなわち、第２可動体５３は、第４連係手段９５の移動領域を上下方向に跨ぐよう配設された取付片９２により第３連係手段９０に連係されている。
【００３９】
(ガイド溝)
支持体５１のベース基板５６には、図８および図９に示すように、凹部６１に配設された第２連係ギア８５を境とした左右両側に、前述した第１ガイド溝８７および第２ガイド溝８８が設けられている。第１ガイド溝８７は、第２〜第４ギア８０Ｂ,８０Ｃ,８０Ｄを回転自在に支持する第１連係支軸５９,５９,５９よりも下側に設けられていると共に、第２ガイド溝８８は、該第１連係支軸５９,５９,５９よりも上側に設けられている。また、第１ガイド溝８７と第２ガイド溝８８とは、左右方向にずれた位置に設けられており、上下方向において重なっていない。ベース基板５６の左部に設けられる第１ガイド溝８７は、該ベース基板５６を前後に貫通する細長の開口であって、ベース基板５６の下縁に沿って左右方向へ水平に延在している。第１ガイド溝８７には、第４連係手段９５に設けられた一対の第２ガイドローラ９６,９６が移動可能に係合するようになっている。また、ベース基板５６の右部に設けられる第２ガイド溝８８は、該ベース基板５６を前後に貫通する細長の開口であって、ベース基板５６の上縁に沿って左右方向へ水平に延在している。第２ガイド溝８８には、第３連係手段９０に設けられた一対の第１ガイドローラ９１,９１が移動可能に係合するようになっている。
【００４０】
前述のように構成された作動機構５４は、図１０〜図１２に示すように、第３連係手段９０が、支持体５１の表裏方向において、第１連係手段８０の第１〜第４ギア８０Ａ,８０Ｂ,８０Ｃ,８０Ｄの全ておよび駆動モータ５５と重なる範囲を移動するよう構成されている。また、第４連係手段９５は、支持体５１の表裏方向において、第１連係手段８０の第１ギア８０Ａ、第２ギア８０Ｂおよび第４ギア８０Ｄおよび駆動モータ５５と歯部９５Ａが重なる範囲を移動するよう構成されている。
【００４１】
実施例の作動機構５４は、図１１(ａ)および図１２(ａ)に示すように、第４連係手段９５と第１可動体５２とが支持体５１のベース基体５６の裏面５６ｂ側で連係されており、該ベース基体５６の表面５６Ａに配設されている第１〜第４ギア８０Ａ,８０Ｂ,８０Ｃ,８０Ｄおよび駆動モータ５５に第１可動体５２が干渉しないよう構成されている。また、実施例の作動機構５４は、図１１(ａ)および図１２(ａ)に示すように、第３連係手段９０と第２可動体５３とが、取付片９２を介して支持体５１のベース基体５６の表面５６ａ側で連係されていると共に、該ベース基体５６の表面５６Ａに配設されている第１〜第４ギア８０Ａ,８０Ｂ,８０Ｃ,８０Ｄおよび駆動モータ５５の配設位置から外れた右側部分を取付片９２が移動するようになっている。これにより、第２可動体５３が、第４連係手段９５、第１〜第４ギア８０Ａ,８０Ｂ,８０Ｃ,８０Ｄおよび駆動モータ５５の夫々に干渉しないよう構成されている。
【００４２】
実施例の可動演出装置５０は、図５および図６に示すように、第４連係手段９５に連結して支持された第１可動体５２が、該第４連係手段９５の移動に伴い、設置部材４０の設置壁部４１における左板部４１ａの前側である待機位置および表示開口４３の前方における中央左側である移動位置の間を移動するよう構成されている。また、第３連係手段９０に連結して支持された第２可動体５３が、該第３連係手段９０の移動に伴い、設置部材４０の設置壁部４１における右板部４１ｂの前側である待機位置および表示開口４３の前方における中央右側である移動位置の間を移動するよう構成されている。そして、第１可動体５２および第２可動体５３が夫々の移動位置へ移動した際に、図６および図１０(ｂ)に示すように、該第１可動体５２を構成する第１装飾部材１０６および第２可動体５３を構成する第２装飾部材１２６が左右に連なって所要形状の装飾体１００を形成するよう構成されている。実施例の装飾体１００は、所要形状(実施例では円形状)をなす意匠体１０１が、周方向へ所要間隔毎に複数(実施例では５つ)が連なって配列された形状をなしている。ここで、最上に位置する意匠体１０１は、第１装飾部材１０６に設けられた半円状の意匠半体１０１ａおよび第２装飾部材１２６に設けられた逆半円状の意匠半体１０１ｂが左右から整合することで円形に形成される。また、第２可動体５３の第２装飾部材１２６において最も右側に位置する意匠体１０１(１０１Ａ)は、後述するように、第２可動体５３の待機位置および移動位置の間の往復移動に合わせて該第２可動体５３の往復移動方向に移動が可能に構成されている(以降の説明では「可動意匠体」と指称する)。すなわち、第２可動体５３は、可動意匠体１０１Ａの往復移動により、第１可動体５２と左右対称形状および左右非対称形状に変形し得るよう構成されている。
【００４３】
(第１可動体)
第１可動体５２は、図３、図４、図８〜図１０に示すように、第４連係手段９５の取付片９７に固定された第１可動基体１０５と、第１可動基体１０５の前側に配設される第１装飾部材１０６と、第１装飾部材１０６の裏側に配設される第１レンズ部材１０７と、第１可動基体１０５と第１装飾部材１０６との間に配設された第１発光基板(電気部品)１０８とを備えている。
【００４４】
(第１可動基体)
第１可動基体１０５は、図４、図８および図９に示すように、第１発光基板１０８および第１装飾部材１０６が配設される第１ベース部１０９と、第１ベース部１０９の上部に連設された第１上支持部１１０と、第１ベース部１０９の下部に連設された第１下支持部１１１とを備えている。第１ベース部１０９は、左方へ凸となると共に右方へ凹となる半円弧状に湾曲した形状をなす板状部であり、第２可動体５３の第２可動基体(可動基体)１２５に設けられた第２ベース基板５６とにより、前述した円形リング形状を構成するようになっている。第１ベース部１０９は、前述した２つの意匠体１０１,１０１に対応する部分および意匠半体１０１ａに対応する部分が、外縁側および内縁側へ円弧状に膨出している。第１ベース部１０９の表面には、第１発光基板１０８を位置決めする位置決めボス１１２が形成されている。また、第１ベース部１０９には、第１装飾部材１０６に締結されるネジが挿通されるネジ挿通孔１１３が形成されている。更に、第１ベース部１０９における第１下支持部１１１の上方には、第１発光基板１０８の裏面に設けられた第１コネクタ部材１１９を、第１可動基体１０５に裏側へ露出させるコネクタ開口１１４が形成されている。
【００４５】
第１上支持部１１０は、図４、図８〜図１０に示すように、第１ベース部１０９の外縁上部から上方へ鉛直に延出した板状をなしている。第１上支持部１１０の上部後側には、後方へ延出した複数(実施例では２つ)の取付ボス１１５,１１５が左右に離間して設けられ、各取付ボス１１５,１１５は、第４連係手段９５の取付片９７に設けられた取付凹部９２ａ,９２ａに嵌合すると共にネジ止めされるようになっている。また、第１上支持部１１０の表面には、所要の意匠が施されている。
【００４６】
第１下支持部１１１は、図４、図８〜図１０に示すように、第１ベース部１０９の外縁下部から下方へ鉛直に延出した板状をなしている。第１下支持部１１１の下部前側には、左方へ延出した板状の延出部１１６が設けられている。図１６に示すように、第１下支持部１１１の裏面は、コネクタ開口１１４から下方へ延在する凹部が形成されており、第１発光基板１０８の第１コネクタ部材１１９に接続された第１フラットケーブル(フラットケーブル)ＦＷ１が上下に延在するように配設される。
【００４７】
(第１スライド部材)
第１下支持部１１１の下部には、図８、図９、図１６および図１９に示すように、設置部材４０における設置壁部４１の下板部４１ｄに設けられたガイド部１５０に収容される第１スライド部材１１７が配設される。第１スライド部材１１７は、第１下支持部１１１の裏面から延出部１１６の裏面に略直角に折り曲げた第１フラットケーブルＦＷ１の折り曲げ部分を該第１下支持部１１１と挟んで保持するケーブル保持部１１７ａを備えている。また、第１スライド部材１１７は、ガイド部１５０を構成する第１ガイド壁１５１に接触する第１上摺動部(摺動部)１１７ｂを備えている。第１上摺動部１１７ｂは、第１ガイド壁１５１に向けて突出すると共に、第１可動体５２の移動方向に沿って延在し、第１ガイド壁１５１におけるガイド部１５０の上部開口に臨む上縁に接触する位置に設けられている。また、第１スライド部材１１７は、第１上摺動部１１７ｂの下側において、第１ガイド壁１５１と対向する部分に、該第１ガイド壁１５１との間に隙間を画成する退避部１１７ｃが設けられている。この退避部１１７ｃは、後述するように、第１ガイド壁１５１に沿って配設される第１フラットケーブルＦＷ１を、該第１ガイド壁１５１および第１スライド部材１１７で挟み込むのを防止するためのものである。
【００４８】
(第１装飾部材)
第１装飾部材１０６は、透光性を有する樹脂製の成形部材であり、図８〜図１０に示すように、前述した装飾体１００の左半体を構成し、２つの意匠体１０１および左側の意匠半体１０１ａが一体に形成されており、第１可動基体１０５における第１ベース部１０９の表面全体を覆い得るようになっている。実施例の第１装飾部材１０６は、透明の部材であり、第１発光基板１０８の第１ＬＥＤ１０８ａが発光することで、各意匠体１０１および意匠半体１０１ａが照明されるようになっている。
【００４９】
(第１レンズ部材)
第１レンズ部材１０７は、図８および図９に示すように、２つの意匠体１０１および意匠半体１０１ａに対応するよう３つに分割構成されており、各意匠体１０１の裏面および意匠半体１０１ちの裏面に個別に装着されるようになっている。実施例の第１レンズ部材１０７は、透明な樹脂材から形成されると共に、第１発光基板１０８の第１ＬＥＤ１０８ａからの光を乱反射させる加工が表面に施されている。
【００５０】
(第１発光基板)
第１発光基板１０８は、図８および図９に示すように、第１可動基体１０５の第１ベース部１０９より一回り小さい輪郭形状に形成されている。第１発光基板１０８は、各意匠体１０１および左側の意匠半体１０１ａに対応する部分の夫々に、複数の第１ＬＥＤ１０８ａが配設されている。従って、第１ＬＥＤ１０８ａが発光制御されることで、各意匠体１０１および意匠半体１０１ａが照明される。また、第１発光基板１０８の下部裏側には、第１フラットケーブルＦＷ１が接続される第１コネクタ部材１１９が配設されており、第１ベース部１０９に設けたコネクタ開口１１４を介して、第１可動基体１０５の裏側に露出するようになっている(図１６参照)。なお、第１ＬＥＤ１０８ａとしては、フルカラーＬＥＤまたは単色発光ＬＥＤを採用し得ると共に、フルカラーＬＥＤからなる第１ＬＥＤ１０８ａと単色発光ＬＥＤからなる第１ＬＥＤ１０８ａとを組み合わせることもできる。
【００５１】
(第２可動体)
第２可動体５３は、図３、図４、図８〜図１０に示すように、第３連係手段９０に取り付けた取付片９２に固定された第２可動基体１２５と、第２可動基体１２５の前側に配設される第２装飾部材１２６と、第２装飾部材１２６の裏側に配設される第２レンズ部材１２７と、第２可動基体１２５と第２装飾部材１２６との間に配設された第２発光基板(電気部品)１２８とを備えている。第２可動体５３は、可動意匠体１０１Ａが該第２可動体５３の移動方向に移動することで、移動方向において待機位置側へ最も突出した右側端縁(待機側端縁)５３ｂと移動位置側へ最も突出した左側端縁(移動側端縁)５３ａとの該移動方向における本体幅Ｈが広狭変化可能に構成されている。そして、第２可動体５３は、待機位置での該第２可動体５３の本体幅である待機時本体幅Ｈ１(図１４、図１５参照)が、移動位置での該第１可動体５２の本体幅である移動時本体幅Ｈ２(図１４、図１５参照)より狭くなるよう構成されている。
【００５２】
ここで、第２可動体５３は、図８、図９、図１４および図１５に示すように、第２可動基体１２５に第２可動体５３の移動方向へ移動可能に配設され、該第２可動基体１２５の端部から該移動方向へ突出すると共に突出量が大小変化する可動意匠体(意匠体)１０１Ａを備えている。実施例では、最も右側に位置する意匠体１０１が、可動意匠体１０１Ａとなっている。可動意匠体１０１Ａは、第２可動基体１２５が移動位置において、該第２可動基体１２５の移動方向において第２可動基体１２５から最大に突出して、第２可動体５３が前述した移動時本体幅Ｈ２となる。また、可動意匠体１０１Ａは、第２可動基体１２５が待機位置において、該第２可動基体１２５の移動方向において第２可動基体１２５の右端部から退避して、該第２可動体５３が前述した待機時本体幅Ｈ１となるよう構成されている。
【００５３】
(第２可動基体)
第２可動基体１２５は、図４、図８および図９に示すように、第２発光基板１２８および第２装飾部材１２６が配設される第２ベース部１２９と、第２ベース部１２９の上部に連設された第２上支持部１３０と、第２ベース部１２９の下部に連設された第２下支持部１３１とを備えている。第２ベース部１２９は、右方へ凸となると共に左方へ凹となる半円弧状に湾曲した形状をなす板状部であり、第１可動体５２の第１可動基体１０５に設けられた第１ベース部１０９とにより、前述した円形リング形状を構成するようになっている。第２ベース部１２９は、前述した２つの意匠体１０１,１０１Ａに対応する部分および意匠半体１０１ｂに対応する部分が、外縁側および内縁側へ膨出している。第２ベース部１２９の表面には、第２発光基板１２８を位置決めする位置決めボス１３２が形成されている。また、第２ベース部１２９には、第２装飾部材１２６に締結されるネジが挿通されるネジ挿通孔１３３が形成されている。更に、第２ベース部１２９における第２下支持部１３１の上方には、第２発光基板１２８の裏面に設けられた第２コネクタ部材１４０を、第２可動基体１２５に裏側へ露出させるコネクタ開口１３４が形成されている。
【００５４】
(ガイド孔)
第２可動基体１２５の第２ベース部１２９における上下中間部(最も右側に突出した部位)には、図８、図９、図１３(ａ)および図１３(ｂ)に示すように、可動意匠体１０１Ａを該第２可動基体１２５の移動方向へ移動可能に案内するガイド孔１３５が複数(実施例では３つ)設けられている。各ガイド孔１３５は、第２ベース部１２９を貫通する貫通孔であり、第２可動体５３の移動方向である左右方向が長手となる長孔となっている。各ガイド孔１３５の周囲には、第２ベース部１２９の表面５６ａおよび裏面５６ｂの両方へ突出した周壁１３５ａが形成されており、各ガイド孔１３５は、該第２ベース部１２９の厚みより大きい前後幅となっており、可動意匠体１０１Ａのガタツキが発生し難くなっている。
【００５５】
第２上支持部１３０は、図４、図８〜図１０に示すように、第２ベース部１２９の外縁上部から上方へ鉛直に延出した板状をなしている。第２上支持部１３０の上部後側には、後方へ延出した複数(実施例では２つ)の取付ボス１３６,１３６が左右に離間して設けられ、各取付ボス１３６,１３６は、第３連係手段９０に固定された取付片９２に設けられた取付凹部９４ａ,９４ａに嵌合すると共にネジ止めされるようになっている。また、第２上支持部１３０の表面には、所要の意匠が施されている。
【００５６】
第２下支持部１３１は、図４、図８〜図１０に示すように、第２ベース部１２９の外縁下部から下方へ鉛直に延出した板状をなしている。第２下支持部１３１の下部前側には、右方へ延出した板状の延出部１３７が設けられている。図１６に示すように、第２下支持部１３１の裏面は、コネクタ開口１３４から下方へ延在する凹部が形成されており、第２発光基板１２８の第２コネクタ部材１４０に接続された第２フラットケーブル(フラットケーブル)ＦＷ２が上下に延在するように配設される。
【００５７】
(第２スライド部材)
第２下支持部１３１の下部には、図８、図９、図１６および図１９に示すように、設置部材４０における設置壁部４１の下板部４１ｄに設けられたガイド部１５０に収容される第２スライド部材１３８が配設される。第２スライド部材１３８は、第２下支持部１３１の裏面から延出部１３７の裏面に略直角に折り曲げた第２フラットケーブルＦＷ２の折り曲げ部分を該第２下支持部１３１と挟んで保持するケーブル保持部１３８ａを備えている。また、第２スライド部材１３８は、ガイド部１５０を構成する第１ガイド壁１５１に接触する第２上摺動部(摺動部)１３８ｂを備えている。第２上摺動部１３８ｂは、第１ガイド壁１５１に向けて突出すると共に、第２可動体５３の移動方向に沿って延在し、第１ガイド壁１５１におけるガイド部１５０の上部開口に臨む上縁に接触する位置に設けられている。また、第２スライド部材１３８は、第２上摺動部１３８ｂの下側において、第１ガイド壁１５１と対向する部分に、該第１ガイド壁１５１との間に隙間を画成する退避部１３８ｃが設けられている。この退避部１３８ｃは、後述するように、第１ガイド壁１５１に沿って配設される第２フラットケーブルＦＷ２を、該第１ガイド壁１５１および第２スライド部材１３８で挟み込むのを防止するためのものである。
【００５８】
(第２装飾部材)
第２装飾部材１２６は、透光性を有する樹脂製の成形部材であり、図８〜図１０に示すように、前述した装飾体１００の右半体を構成し、１つの意匠体１０１が一体に形成された部材と、可動意匠体１０１Ａに対応する部材と、右側の意匠半体１０１ｂが一体に形成された部材との３つに分割されている。各第２装飾部材１２６は、透明の部材であり、第２発光基板１２８の第２ＬＥＤ１２８ｂが発光することで、意匠体１０１、可動意匠体１０１Ａおよび意匠半体１０１ｂの夫々が照明されるようになっている。
【００５９】
(第２レンズ部材)
第２レンズ部材１２７は、図８および図９に示すように、意匠体１０１、可動意匠体１０１Ａおよび意匠半体１０１ｂの夫々に対応するよう３つに分割構成されており、意匠体１０１、可動意匠体１０１Ａおよび意匠半体１０１ｂの裏面に個別に装着されるようになっている。各第２レンズ部材１２７は、透明な樹脂材から形成されると共に、第２発光基板１２８の第２ＬＥＤ１２８ｂからの光を乱反射させる加工が表面に施されている。
【００６０】
(第２発光基板)
第２発光基板１２８は、図８および図９に示すように、第２可動基体１２５の第２ベース部１２９より一回り小さい輪郭形状に形成されている。第２発光基板１２８は、意匠体１０１、可動意匠体１０１Ａおよび右側の意匠半体１０１ｂに対応する部分の夫々に、複数の第２ＬＥＤ１２８ｂが配設されている。従って、第２ＬＥＤ１２８ｂが発光制御されることで、意匠体１０１、可動意匠体１０１Ａおよび意匠半体１０１ｂが照明される。また、第２発光基板１２８の下部裏側には、第２フラットケーブルＦＷ２が接続される第２コネクタ部材１４０が配設されており、第２ベース部１２９に設けたコネクタ開口１３４を介して、第２可動基体１２５の裏側に露出するようになっている(図１６参照)。なお、第２ＬＥＤ１２８ａとしては、フルカラーＬＥＤまたは単色発光ＬＥＤを採用し得ると共に、フルカラーＬＥＤからなる第１ＬＥＤ１２８ａと単色発光ＬＥＤからなる第１ＬＥＤ１２８ａとを組み合わせることもできる。
【００６１】
(可動意匠体)
第２可動体５３に配設される可動意匠体１０１Ａは、図１３(ａ)および図１３(ｂ)に示すように、円形状の第２装飾部材１２６と、該第２装飾部材１２６の裏側に取り付けられる第２レンズ部材１２７とを備えると共に、該第２レンズ部材１２７の裏側に、前述した各ガイド孔１３５に移動可能に挿通されるスライド部１４１とを備えている。各スライド部１４１は、対応のガイド孔１３５の前後幅と同じ延出長さで後方へ延出していると共に、第２レンズ部材１２７の裏面側から見て三角形の各頂点に位置する関係で配置されている。各スライド部１４１の延出端には、第２ベース部１２９の背面側から脱落防止ネジ１４２が固定され、これにより可動演出体１０１Ａが第２可動基体１２５に移動可能に配設される。このような可動意匠体１０１Ａは、各スライド部１４１が対応のガイド孔１３５内を摺動することで、第２可動基体１２５に対して最も該第２可動基体１２５の待機位置側へ移動した演出位置(図１４、図１５参照)と、第２可動基体１２５に対して最も該第２可動基体１２５の移動位置側へ移動した退避位置(図１４、図１５参照)との間を、第２可動体５３に移動方向に沿って移動可能となっている。実施例では、演出位置に移動した可動演出体１０１Ａは、第２可動基体１２５の基体端縁１２５ａから右方へ突出し、退避位置に移動した該第２可動基体１２５は、第２可動基体１２５の基体端縁１２５ａから殆ど突出しないように設定されている。
【００６２】
(付勢手段)
第２可動体５３は、図８、図９、図１３および図１５に示すように、第２可動基体１２５からの可動意匠体１０１Ａの突出量が大きくなる方向へ該可動意匠体１０１Ａを付勢する付勢手段１４３を備えている。実施例では、付勢手段１４３として、第２可動基体１２５の第２ベース部１２９に一端が連結されると共に、可動意匠体１０１ａのスライド部１４１の１つに他端が連結される引張りコイルバネが採用されている。実施例では、上下中央に位置するスライド部１４１の延出端に、付勢手段１４３における他端が連結され、当該スライド部１４１より第２可動体５３の待機位置側において、第２ベース部１２９の裏側に付勢手段１４３における一端が連結されている。ここで、付勢手段１４３は、可動意匠体１０１Ａの演出位置においても適宜に伸張変形するように配設されており、該可動意匠体１０１Ａが演出位置に弾力的に保持され得るようになっている。また、付勢手段１４３は、可動意匠体１０１Ａが演出位置から退避位置へ移動する従って伸張変形量が大きくなって付勢力が増加するようになっている。
【００６３】
(押付け部)
図１４および図１５に示すように、第２可動基体１２５が待機位置となる際に可動意匠体１０１Ａに当接して、付勢手段１４３に付勢された該可動意匠体１０１Ａを退避位置側へ移動させる押付け部１４４を備えている。実施例では、設置部材４０の外周壁部４２において、設置壁部４１の右板部４１ｂに連設される右壁部に、可動意匠体１０１Ａ側へ突出するように押付け部１４４が形成されている。押付け部１４４は、外周壁部４２の右壁部から左方(第２可動体５３側)へ突出した突縁部である。
【００６４】
(当受け部)
一方、可動意匠体１０１Ａは、図１３および図１５に示すように、第２装飾部材１２６の前面に設けられた意匠面から外れた部位に、押付け部１４４に当接する当受け部１４５を備えている。実施例では、可動意匠体１０１Ａを構成する第２レンズ部材１２７の右端部に、後方へ延出するように当受け部１４５が設けられている。すなわち、当受け部１４５は、第２レンズ部材１２７の前面に設けられた意匠面から外れた位置に設けられている。
【００６５】
従って、可動意匠体１０１Ａは、第２可動基体１２５が移動位置で、付勢手段１４３の付勢により第２可動基体１２５からの突出量が最大となった演出位置で弾力的に保持される。これにより、第２可動基体１２５が移動位置では、可動意匠体１０１Ａが移動方向において第２可動基体１２５から最大に突出することで、第２可動体５３の本体幅が移動時本体幅Ｈ２となる。一方、可動意匠体１０１Ａは、該第２可動基体１２５が待機位置で、当受け部１４５に対する押付け部１４４の押し付けにより、退避位置に移動すると共に該退避位置に保持される。これにより、第２可動基体１２５が待機位置では、可動意匠体１０１Ａが退避位置となることで、第２可動体５３の本体幅が待機時本体幅Ｈ１となる。
【００６６】
図５および図６に示すように、遊技盤２０と設置部材４０と間において、表示開口４３の左側に位置する左板部４１ａの前側に、第１可動体５２が待機位置で収容される第１収容部４６が設けられると共に、該表示開口４３の右側に位置する右板部４１ｂの前側に、第２可動体５３が待機位置で収容される第２収容部４７が設けられている。ここで、第２収容部４７における第２可動体５３の移動方向における収容幅Ｌ(図６参照)は、第２可動体５３の移動時本体幅Ｈ２より小さく設定されている。そして、実施例の可動演出装置５０の第２可動体５３は、第２収容部４７から移動位置側へ移動した際の移動時本体幅Ｈ２が第２可動体５３の収容幅Ｌより大きくなるが、第２収容部４７に収容された際の待機時本体幅Ｈ１が、該第２収容部４７の収容幅Ｌ以下となるよう構成されている。
【００６７】
(ガイド部)
図５〜図７に示すように、設置部材４０の設置壁部４１における下板部４１ｄの表示開口４３の下開口縁に沿う部位に、第１可動体５２の下部および第２可動体５３の下部を案内するガイド部１５０が設けられている。ガイド部１５０は、第１可動体５２および第２可動体５３の移動方向に沿って延在すると共に上方へ開口する半樋状をなしており、第１可動体５２の移動部１２０および第２可動体５３の移動部１４６が上方から挿入されると共に、前後方向への移動が規制された状態で移動方向(実施例では左右方向)へ移動可能となっている。ガイド部１５０は、設置部材４０の下板部４１ｄにおいて演出窓口２６ａの下縁に沿って左右方向へ延在するよう形成された第１ガイド壁(他方のガイド壁)１５１と、左右方向へ細長い板状に形成されて、第１ガイド部１５０と前後に対向した第２ガイド壁(一方のガイド壁)１５２とを備えている。第１ガイド壁１５１および第２ガイド壁１５２は、左右方向へ平行に延在している。第２ガイド壁１５２は、下板部４１ｄに取り付けられるガイド部材１５３に形成されている。ガイド部材１５３は、図７および図９に示すように、第２ガイド壁１５２の下縁から後方へ延出する板状部１５４を備え、該板状部１５４がガイド部１５０の底部を画成している。
【００６８】
(第１フラットケーブルおよび第２フラットケーブル)
第１フラットケーブルＦＷ１および第２フラットケーブルＦＷ２は、幅方向において撓み変形が発現し難く、厚み方向において撓み変形が発現し易くなっている。第１および第２フラットケーブルＦＷ１,ＦＷ２は、導線が変形することで厚み方向において折り曲げることが可能となっており、直角、鈍角または鋭角に延在方向を変更することが可能となっている。第１フラットケーブルＦＷ１は、設置部材４０の設置壁部４１における下板部４１ｄの裏側に配設された中継基板１６０(図７、図１６、図１９参照)と第１可動体５２の第１発光基板１０８とを電気的に接続するものである。第２フラットケーブルＦＷ２は、下板部４１ｄの裏側に配設された中継基板１６０と第２可動体５３の第２発光基板１２８とを電気的に接続するものである。
【００６９】
(フラットケーブルの配設態様について)
実施例の可動演出装置５０は、図１６に示すように、第１可動体５２の第１発光基板１０８に接続される第１フラットケーブルＦＷ１が、第１下支持部１１１の裏側に沿って下方へ配設されると共に、該第１下支持部１１１の下部で左方へ直角に折り曲げられる。そして、第１フラットケーブルＦＷ１は、第１可動体５２における移動部(延出部１１６および第１スライド部材１１７で構成される部分)１２０から該ガイド部１５０内へ引き回され、該ガイド部１５０から設置部材４０における設置壁部４１の裏側へ延出して、中継基板１６０に接続されるよう構成されている。また、第２可動体５３の第２発光基板１２８に接続される第２フラットケーブルＦＷ２は、第２下支持部１３１の裏側に沿って下方へ配設されると共に、該第２下支持部１３１の下部で右方へ直角に折り曲げられる。そして、第２フラットケーブルＦＷ２は、第２可動体５３におけるガイド部１５０に挿入された移動部(延出部１３７および第２スライド部材１３８で構成される部分)１４６から該ガイド部１５０内へ引き回され、該ガイド部１５０から設置部材４０における設置壁部４１の裏側へ延出して、中継基板１６０に接続されるよう構成されている。すなわち、第１フラットケーブルＦＷ１および第２フラットケーブルＦＷ２は、左右対称の関係で配設されている。なお、第１フラットケーブルＦＷ１および第２フラットケーブルＦＷ２の対応する部分は、同一の符号で指示する。
【００７０】
図１６〜図１８に示すように、第１フラットケーブルＦＷ１は、第１可動体５２の待機位置および移動位置の間の移動に追従して変位する余剰部１６５を備え、該余剰部１６５が、ガイド部１５０に収容した状態で設けられる。また、第２フラットケーブルＦＷ２は、第２可動体５３の待機位置および移動位置の間の移動に追従して変位する余剰部１６５を備え、該余剰部１６５が、ガイド部１５０に収容した状態で設けられる。第１フラットケーブルＦＷ１の余剰部１６５および第２フラットケーブルＦＷ２の余剰部１６５は、第１延在部１６５ａと、第２延在部１６５ｂと、湾曲部１６５ｃとを有している。余剰部１６５の第１延在部１６５ａは、第１可動体５２の移動部１２０からガイド部１５０における第２ガイド壁(一方のガイド壁)１５２に沿って第１可動体５２の往復移動方向に延在する部分である。第２延在部１６５ｂは、ガイド部１５０における第１ガイド壁(他方のガイド壁)１５１に沿って第１可動体５２の往復移動方向に延在し、第１フラットケーブルＦＷ１では第１ガイド壁１５１に設けられた第１挿通部(挿通部)１５５まで延在する部分であり、第２フラットケーブルＦＷ２では第１ガイド壁１５１に設けられた第２挿通部(挿通部)１５６まで延在する部分である。湾曲部１６５ｃは、第１ガイド壁１５１と第２ガイド壁１５２との間で円弧状に折り返して、第１延在部１６５ａおよび第２延在部１６５ｂに連なる部分である。
【００７１】
第１フラットケーブルＦＷ１の余剰部１６５は、第１可動体５２における移動部１２０の往復移動につれて、第１延在部１６５ａおよび第２延在部１６５ｂの延在長さが変化すると共に、湾曲部１６５ｃが該第１可動体５２の往復移動方向に移り変わるようになっており、第２フラットケーブルＦＷ２の余剰部１６５は、第２可動体５３における移動部１２０の往復移動につれて、第１延在部１６５ａおよび第２延在部１６５ｂの延在長さが変化すると共に、湾曲部１６５ｃが該第１可動体５２の往復移動方向に移り変わるようになっている。そして、実施例では、第１可動体５２の移動部１２０および第２可動体５３の移動部１４６は、第１ガイド壁１５１および第２ガイド壁１５２に案内されて、余剰部１６５の第２延在部１６５ｂに重なる位置を少なくとも含んだ範囲を移動可能に構成されている。すなわち、図１７および図１８に示すように、第１可動体５２の移動部１２０および第２可動体５３の移動部１４６は、該第１可動体５２および第２可動体５３が待機位置から移動位置へ移動する際に、該待機位置から後述する第１挿通部１５５または第２挿通部１５６の位置までは余剰部１６５の第２延在部１６５ｂに重なる位置を移動し、該第１挿通部１５５または第２挿通部１５６の位置から移動位置までは余剰部１６５の第２延在部１６５ｂと重ならない位置を移動する。
【００７２】
(挿通部)
第１ガイド壁１５１には、図１６〜図１８に示すように、第１フラットケーブルＦＷ１をガイド部１５０の内外へ通す第１挿通部１５５と、第２フラットケーブルＦＷ２をガイド部１５０の内外へ通す第２挿通部１５６とが設けられている。第１挿通部１５５は、第１ガイド壁１５１において、待機位置および移動位置の間を移動する第１可動体５２の移動部１２０が移動する範囲の中間部に設けられている。同様に、第２挿通部１５６は、第１ガイド壁１５１において、待機位置および移動位置の間を移動する第２可動体５３の移動部１４６が移動する範囲の中間部に設けられている。従って、第１可動体５２の移動部１２０および第２可動体５３の移動部１４６は、第１ガイド壁１５１に案内されて、第２延在部１６５ｂに重なる位置を少なくとも含んだ範囲を移動可能に構成されている。
【００７３】
(退避部)
図７および図１９に示すように、第１可動体５２の移動部１２０は、第１スライド部材１１７における第１ガイド壁１５１と対向する部位に、第１フラットケーブルＦＷ１における余剰部１６５の第２延在部１６５ｂが通過可能な隙間を画成する退避部１１７ｃを備えている。同様に、第２可動体５３の移動部１４６は、第２スライド部材１１７における第１ガイド壁１５１と対向する部位に、第２フラットケーブルＦＷ２における余剰部１６５の第２延在部１６５ｂが通過可能な隙間を画成する退避部１３８ｃを備えている。第１可動体５２の移動部１２０に設けられた退避部１１７ｃは、後述する第１上摺動部１１７ｂの突出端から、少なくとも余剰部１６５の厚みより大きく退避するように形成されており、該退避部１１７ｃと第１ガイド壁１５１との間に、余剰部１６５の厚みより幅広の隙間を画成して、該移動部１２０と第１ガイド壁１６１とで該余剰部１６５の第２延在部１６５ｂを挟み込むことを防止するよう構成されている。また、第２可動体５３の移動部１４６に設けられた退避部１３８ｃは、後述する第２上摺動部１３８ｂの突出端から、少なくとも余剰部１６５の厚みより大きく退避するように形成されており(図１９参照)、該退避部１３８ｃと第１ガイド壁１５１との間に、余剰部１６５の厚みより幅広の隙間を画成して、該移動部１４６と第１ガイド壁１６１とで該余剰部１６５の第２延在部１６５ｂを挟み込むことを防止するよう構成されている。
【００７４】
(摺動部)
図１６〜図１９に示すと共に前述したように、第１可動体５２の移動部１２０は、退避部１１７ｃの傍らに第１ガイド壁１５１に摺接可能に設けられ、第１可動体５２の往復移動に際して該第１ガイド壁１５１に案内される第１上摺動部(摺動部)１１７ｂを備えている。また、第１可動体５２の移動部１２０は、第２ガイド壁１５２に摺接可能に設けられ、第１可動体５２の往復移動に際して該第２ガイド壁１５２に案内される第１下摺動部１１７ｄを備えている。一方、第２可動体５３の移動部１４６は、退避部１３８ｃの傍らに第１ガイド壁１５１に摺接可能に設けられ、第２可動体５３の往復移動に際して該第１ガイド壁１５１に案内される第２上摺動部(摺動部)１３８ｂを備えている。第２可動体５３の移動部１４６は、第２ガイド壁１５２に摺接可能に設けられ、第２可動体５３の往復移動に際して該第２ガイド壁１５２に案内される第２下摺動部１３８ｄを備えている。第１１上摺動部１１７ｂおよび第２上摺動部１３８ｂは、第１下摺動部１１７ｄまたは第２下摺動部１３８ｄが第２ガイド壁１５２に当接した状態において、第１ガイド壁１５１との間に余剰部１６５の厚みより幅狭の隙間が画成されるように、該第１ガイド壁１５１に対向している。これにより、第１可動体５２がガイド部１５０に沿って往復移動する際には、移動部１２０がガイド部１５０内において該ガイド部１５０の延在方向と直交する前後方向へ移動したとしても、余剰部１６５の第２延在部１６５ｂが、第１上摺動部１１７ｂと第１ガイド壁１５１との間からガイド部１５０の外へ抜け出るのを防止し得るようになっている。同様に、第２可動体５３がガイド部１５０に沿って往復移動する際には、移動部１４８がガイド部１５０内において該ガイド部１５０の延在方向と直交する前後方向へ移動したとしても、余剰部１６５の第２延在部１６５ｂが、第２上摺動部１３８ｂと第１ガイド壁１５１との間からガイド部１５０の外へ抜け出るのを防止し得るようになっている。
【００７５】
(延出部)
図１６〜図１８に示すと共に前述したように、第１可動体５２の移動部１２０および第２可動体５３の移動部１４６は、第１フラットケーブルＦＷ１および第２フラットケーブルＦＷ２の余剰部１６５の第１延在部１６５ａと第２ガイド壁１５２との間に、該第２ガイド壁１５２に沿って湾曲部１６５ｃ側に向けて延出する延出部１１６,１３７が形成されている。各延出部１１６,１３７は、余剰部１６５の第１延在部１６５ａの幅寸法より上下方向の幅寸法が大きい板状に形成されている。延出部１１６,１３７は、第２ガイド壁１５２との間に余剰部１６５の第２延在部１６５ｂの厚みより小さい隙間が画成された状態で、該第２ガイド壁１５２に対向している。これにより、第１可動体５２の移動部１２０および第２可動体５３の移動部１４６がガイド部１５０内を移動する際に、余剰部１６５の第２延在部１６５ｂが、延出部１１６,１３７と第２ガイド壁１５２との間に挟み込まれるのを防止し得るように構成されている。また、延出部１１６,１３７の上縁には、余剰部１６５の第１延在部１６５ａの上方へ突出する庇状の保持片１１６ａ,１３７ａが形成されており(図１６、図１８、図１９参照)、該第１延在部１６５ａが上方へ移動するのを該保持片１１６ａ,１３７ａにより規制し得るようになっている。
【００７６】
〔実施例の作用〕
次に、前述のように構成された実施例に係るパチンコ機１０の作用につき説明する。
【００７７】
前述のように構成された実施例のパチンコ機１０では、例えば統括制御装置の統括制御基板による可動体演出の実行可否判定の結果により、可動演出装置５０を作動しないことが決定された場合は、可動演出装置５０は初期状態に保持される。可動演出装置５０の初期状態では、図５に示すように、第１可動体５２は、待機位置に保持されて第１収容部４６に収容されると共に、第２可動体５３は、待機位置に保持されて第２収容部４７に収容される。ここで、第２可動体５３では、図１４および図１５に示すように、可動意匠体１０１Ａの当受け部１４５と設置部材４０に設けた押付け部１４４とが当接することで、該可動意匠体１０１Ａが退避位置へ移動しており、第２可動体５３は、待機時本体幅Ｈ１となって第２収容部４７内に収容される。すなわち、第２可動体５３は、第２収容部４７の収容幅Ｌ以下となり、表示窓口４３へはみ出していない。
【００７８】
統括制御装置の統括制御基板が、可動体演出の実行可否判定の結果により、可動演出装置５０を作動させることを決定した場合には、該統括制御基板は可動演出装置５０に所定の制御信号を送信する。なお、制御信号としては、駆動モータ５５用の駆動制御信号と、第１発光基板１０８および第２発光基板１２８に対する発光制御信号とが送信される。統括制御基板の発光制御信号は、中継基板１６０および第１フラットケーブルＦＷ１を介して第１可動体５２の第１発光基板１０８へ入力され、該中継基板１６０および第２フラットケーブルＦＷ２を介して第２可動体５３の第２発光基板１２８へ入力される。
【００７９】
(作動機構による待機位置から移動位置への各可動体の移動)
統括制御装置の統括制御基板からの制御信号が可動演出装置５０に送信されると、駆動モータ５５が、駆動制御されて回転駆動を開始する。これにより、駆動ギア７６と従動ギア７７の噛合のもとで、第１連係機構８０における第１〜第４ギア８０Ａ,８０Ｂ,８０Ｃ,８０Ｄが回転することで、第４ギア８０Ｄに噛合した第２連係ギア８５が、図１１(ｂ)において反時計方向へ従動回転する。これにより、第２連係ギア８５に噛合した第４連係手段９５は、図１１(ａ)の位置から図１２(ｂ)の位置に向けて右方へ移動し、該第４連係手段９５に支持された第１可動体５２は、第１収容部４６に収容された待機位置から、図柄表示装置４５の表示部４５ａが臨む表示開口４３の前方となる移動位置に向けて移動する。
【００８０】
また、第２連係ギア８５に噛合した第３連係手段９０は、図１１(ａ)の位置から図１２(ｂ)の位置に向けて左方へ移動し、これにより該第３連係手段９０に支持された第２可動体５３は、第２収容部４７に収容された待機位置から、図柄表示装置４５の表示部４５ａが臨む表示開口４３の前方となる移動位置に向けて移動する。ここで、第２可動体５３は、第２収容部４７に収容された待機位置において、押付け部１４４に当受け部１４５が当接して可動意匠体１０１Ａが退避位置に移動していることで待機時本体幅Ｈ１となっている。しかるに、第２可動基体１２５が待機位置から移動位置に向けて移動開始すると、付勢手段１４３の付勢力により、可動意匠体１０１Ａは押付け部１４４に当受け部１４５が当接する位置に一時的に停止した状態となる。そして、可動意匠体１０１Ａは、第２可動基体１２５の移動に伴って第２可動基体１２５に対して演出位置となると、付勢手段１４３の付勢力により該演出位置に保持された状態で該第２可動基体１２５と一緒に移動位置に向けて移動開始するようになる。従って、第２可動体５３は、待機位置から移動位置へ移動する際に、可動意匠体１０１Ａが演出位置となった時点で、移動時本体幅Ｈ２まで拡幅する。
【００８１】
第１可動体５２および第２可動体５３が夫々の移動位置へ移動すると、図６および図１０(ｂ)に示すように、第１可動体５２の第１装飾部材１０６および第２可動体５３の第２装飾部材１２６が左右から当接するようになり、図柄表示装置４５の表示部４５ａが臨む表示開口４３の前方に、５つの意匠体１０１が周方向へ並んだ装飾体１００が形成される。なお、第２可動体５３は、移動時本体幅Ｈ２になっていることで、可動意匠体１０１を含む５つの意匠体１０１が同一円周上に等間隔でバランスよく配置される。
【００８２】
また、第１可動体５２の第１発光基板１０８に接続された第１フラットケーブルＦＷ１の余剰部１６５および第２可動体５３の第１発光基板１２８に接続された第２フラットケーブルＦＷ２の余剰部１６５は、第１可動体５２および第２可動体５３が待機位置から移動位置へ移動する間に、ガイド部１５０内において図１８の状態から図１９の状態へ変化する。すなわち、第１可動体５２および第２可動体５３が待機位置においては、図１８に示すように、第１フラットケーブルＦＷ１および第２フラットケーブルＦＷ２の余剰部１６５,１６５は、第２ガイド壁１５２に沿う第１延在部１６５ａよりも第１ガイド壁１５１に沿う第２延在部１６５ｂが長くなっている。そして、第１可動体５２および第２可動体５３が待機位置から移動位置へ移動するにつれて、第２ガイド壁１５２に沿う第１延在部１６５ａが徐々に長くなると共に、第１ガイド壁１５１に沿う第２延在部１６５ｂが徐々に短くなる。第１可動体５２および第２可動体５３が待機位置になると、図１９に示すように、第１フラットケーブルＦＷ１および第２フラットケーブルＦＷ２の余剰部１６５,１６５は、第２ガイド壁１５２に沿う第１延在部１６５ａが第１ガイド壁１５１に沿う第２延在部１６５ｂよりも長くなる。
【００８３】
(作動機構について)
従って、実施例のパチンコ機１０における可動演出装置５０の作動機構５４においては、駆動手段としての駆動モータ５５に連係された第１連係手段８０としての第１〜第４ギア８０Ａ,８０Ｂ,８０Ｃ,８０Ｄを支持体５１の表裏方向における表面５６ａ側に配設すると共に、第１可動体５２に連係された第４連係手段９５および第２可動体５３に連係された第３連係手段９０を該支持体５１の裏面５６ｂ側に配設したことで、定位置で回転する第１〜第４ギア８０Ａ,８０Ｂ,８０Ｃ,８０Ｄと、直線的に往復移動する第３連係手段９０および第４連係手段９５とが干渉しないよう構成することができる。そして、第１〜第４ギア８０Ａ,８０Ｂ,８０Ｃ,８０Ｄと第３連係手段９０の移動範囲とが支持体５１の表裏方向において重なるように該第３連係手段９０を支持体５１に配設したことで、作動機構５４をコンパクトに構成することができる。また、第３連係手段９０および第４連係手段９５の移動量が第１〜第４ギア８０Ａ,８０Ｂ,８０Ｃ,８０Ｄで制約されないので、第１可動体５２および第２可動体５３の移動量を大きく設定することも可能である。
【００８４】
また、第２連係手段である第２連係ギア８５に噛合する第３連係手段９０および第４連係手段９５を、支持体５１の裏面５６ｂ側において該第２連係ギア８５を挟んで上下に配設すると共に、該支持体５１の表面５６ａ側において、第３連係手段９０および第４連係手段９５の往復移動方向に第１連係手段の第１〜第４ギア８０Ａ,８０Ｂ,８０Ｃ,８０Ｄを並べた構成としても、第３連係手段９０が第１〜第４ギア８０Ａ,８０Ｂ,８０Ｃ,８０Ｄと表裏方向において重なる範囲を移動するようになっているので、作動機構５４をコンパクトに構成することができる。これにより、作動機構５４が配設される支持体５１もコンパクトに構成することができ、設置部材４０の設置壁部４１における上板部４１ｃでの支持体５１の占有面積を小さくすることが可能となる。
【００８５】
また、支持体５１の裏面５６ｂ側に配設された第３連係手段９０に対して、第２可動体５３が該支持体５１の表面５６ａ側から連係されているので、第２可動体５３の移動範囲と第４連係手段９５の移動範囲とが支持体５１の表裏方向において重なるように設定されていても、該第２可動体５３と第４連係手段９５とが接触することを防止し得る。また、第３連係手段９０に連係された第２可動体５３は、支持体５１の表面５６ａ側において、第１〜第４ギア８０Ａ,８０Ｂ,８０Ｃ,８０Ｄに対して往復移動方向において第２連係ギア８５を挟む領域を通るように配設されているので、該第２可動体５３と第１〜第４ギア８０Ａ,８０Ｂ,８０Ｃ,８０Ｄとの接触も回避される。
【００８６】
更に、駆動手段である駆動モータ５５を第１〜第４ギア８０Ａ,８０Ｂ,８０Ｃ,８０Ｄと同じ支持体５１の表面５６ａ側に配設すると共に、支持体５１の表裏方向において該駆動モータ５５と重なる範囲を移動するように第３連係手段９０および第４連係手段９５を配設したことで、作動機構５４の更なるコンパクト化が可能である。また、第３連係手段９０の移動範囲および第４連係手段９５の移動範囲を、支持体５１の表裏方向において駆動モータ５５と重なるように設定することで、該第３連係手段９０および第４連係手段９５の移動量を大きく設定することが可能となり、第１可動体５２および第２可動体５３の待機位置および移動位置の間の移動量を大きくすることが可能となる。
【００８７】
(第２可動体の可動意匠体について)
実施例の可動演出装置５０では、待機位置および移動位置の間を往復移動可能に構成された第２可動体５３が、移動位置においては、左外側面５３ａと右外側面５３ｂとが遠ざかるように形状変化して本体幅Ｈが広くなると共に、待機位置においては、左外側面５３ａと右外側面５３ｂとが近づくように形状変化して本体幅Ｈが移動位置と比べて狭くなるよう構成した。従って、移動位置においては第２可動体５３の本体幅が移動時本体幅Ｈ２まで広くなって演出効果を高め得ると共に、待機位置においては該第２可動体５３が収容時本体幅Ｈ１までコンパクトになって配置に要するスペースを縮小し得る。すなわち、第２可動体５３が待機位置では、該第２可動体５３がコンパクトになるので第２収容部４７を小さくすることができる。また、第２可動体５３が移動位置では、本体幅Ｈが広くなった該第２可動体５３が表示部４５ａの前側に位置するので、第１可動体５２および該第２可動体５３による演出効果を高めることができる
【００８８】
そして、可動演出装置５０では、第２可動体５３が移動位置において、可動意匠体１０１Ａが、第２可動基体１２５に対して待機位置側へ変位して演出位置となることで該第２可動体５３の本体幅Ｈが最も広くなり、該第２可動体５３が所定の意匠形状をなして演出効果を高めることができる。また、第２可動体５３が待機位置において、可動意匠体１０１Ａが、第２可動基体１２５に対して移動位置側へ変位して退避位置となることで該第２可動体５３の本体幅Ｈが最も狭くなり、該第２可動体５３がコンパクトになって配置に要するスペースを縮小し得る。
【００８９】
また、第２可動体５３に配設された付勢手段１４３および設置部材４０に設けられた押付け部１４４による簡単な構成により、第２可動基体１２５に対して第２可動体５３の移動方向へ可動意匠体１０１Ａを移動させることができる。しかも、可動意匠体１０１Ａの意匠面から外れた部位に設けられた当受け部１４５に押付け部１４４が当接するので、押付け部１４４との当接により意匠面に傷が付くのを防止し得る。
【００９０】
(フラットケーブルの変形について)
実施例の可動演出装置５０では、第１可動体５２に配設された第１発光基板１０８に繋がる第１フラットケーブルＦＷ１の余剰部１６５および第２可動体５３に配設された第２発光基板１２８に繋がる第２フラットケーブルＦＷ２の余剰部１６５を、該可動体５２,５３の移動部１２０,１４６が挿入したガイド部１５０に収容した状態で設けた。これにより、ガイド部１５０を、第１フラットケーブルＦＷ１および第２フラットケーブルＦＷ２の配設スペースとして兼用するよう構成したので、第１可動体５２および第２可動体５３の周辺に該第１フラットケーブルＦＷ１および第２フラットケーブルＦＷ２の配設スペースを別途設ける必要がなくなり、第１可動体５２および第２可動体５３の周辺をコンパクトに構成することができる。そして、第１フラットケーブルＦＷ１および第２フラットケーブルＦＷ２の余剰部１６５は、第１可動体５２および第２可動体５３の移動部１２０,１４６の往復移動につれて、第２ガイド壁１５２に沿う第１延在部１６５ａおよび第１ガイド壁１５１に沿う第２延在部１６５ｂの延在長さが変化すると共に、第１延在部１６５ａおよび第２延在部１６５ｂに連なる湾曲部１６５ｃが該第１可動体５２および第２可動体５３の往復移動方向に移り変わるので、余剰部１６５がガイド部１５０内で移動しながら変形して第１可動体５２および第２可動体５３をスムーズに往復移動させ得る。また、第１フラットケーブルＦＷ１の余剰部１６５および第２フラットケーブルＦＷ２の余剰部１６５を、ガイド部１５０の第１ガイド壁１５１および第２ガイド壁１５２に沿うよう配設したので、該余剰部１６５を安定的に配設することができる。
【００９１】
そして、第１可動体５２および第２可動体５３の移動部１２０,１４６に設けられた退避部１１７ｃ,１３８ｃにより、第１可動体５２および第２可動体５３が移動する際に余剰部１６５の第２延在部１６５ｂが該退避部１１７ｃ,１３８ｃと第１ガイド壁１５１との間に挟み込まれないので、該第１フラットケーブルＦＷ１および第２フラットケーブルＦＷ１２の損傷または断線を防止し得ると共に、第１可動体５２および第２可動体５３の移動不良の発生を防止し得る。また、第１可動体５２の移動部１２０は、第１上摺動部１１７ｂおよび第１下摺動部１１７ｄが第１ガイド壁１５１および第２ガイド壁１５２に案内されることで、第１可動体５２が該ガイド部１５０に沿って安定して移動するようにし得ると共に、第２可動体５３の移動部１４６は、第２上摺動部１３８ｂおよび第２下摺動部１３８ｄが第１ガイド壁１５１および第２ガイド壁１５２に案内されることで、第２可動体５３が該ガイド部１５０に沿って安定して移動するようにし得る。更に、第１フラットケーブルＦＷ１の余剰部１６５は、第１上摺動部１１７ｂによりガイド部１５０内に保持されると共に、第２フラットケーブルＦＷ２の余剰部１６５は、第２上摺動部１３８ｂによりガイド部１５０内に保持される。
【００９２】
そして、各移動部１２０,１４６から余剰部１６５の湾曲部１６５ｃに向けて延出した延出部１１６,１３７が、該余剰部１６５の第１延在部１６５と第１ガイド壁１５１の間に形成されているので、該余剰部１６５の第１延在部１６５を、移動部１２０,１４６の移動に伴ってガイド部１５０内をスムーズに移動させることができる。また、延出部１１６,１３７を設けたことで、ガイド部１５０内を移動する移動部１２０,１４６と第２ガイド壁１５２との間に余剰部１６５が挟み込まれることを防止し得る。
【００９３】
〔変更例〕
本発明に係る遊技機は、実施例に例示の形態に限らず種々の変更が可能である。
（１）作動機構は、駆動手段および第１連係手段を支持体の他面側に設けると共に、第３連係手段および第４連係手段を支持体の一面側に設けるようにしてもよい。
（２）第１連係手段は、駆動手段と連係して該駆動手段の駆動に伴って定位置で回転するものであれば、ベルトを掛止するプーリやチェンが掛止されるスプロケット等であってもよい。
（３）駆動手段は、ロータリソレノイドやロータリアクチュエータ等であってもよい。
（４）第１連係手段を構成するギアは、実施例で例示した４つに限るものでなく、３つ以下または５つ以上であってもよい。
（５）第２連係手段は、支持体のベース部を表裏方向へ貫通して表側および裏側へ延出した支軸と、該支軸の一方端部に配設されて第１連係手段と連係する第１連係部と、該支軸の他方端部に配設されて第３連係手段と連係する第２連係部とで構成されたものであってもよい。
（６）第４連係手段は、該第４連係手段の移動範囲が、支持体の表裏方向における第１連係手段と第３連係手段の移動範囲と同程度に重なるように配設してもよい。
（７）第１連係手段と支持体の表裏方向において重なる第３連係手段を第２連係手段の下側に配設すると共に、第４連係手段を第２連係手段の上側に配設するようにしてもよい。このような構成では、第１可動体が第３連係手段に連結されると共に、第２可動体が第４連係手段に連結される。そして、第２可動体は、支持体の他面側に配設された第４連係手段に該支持体の一面側から連結されると共に、第１連係手段に対して往復移動方向において第２連係手段を挟む領域を通るように配設され、第３連係手段の移動範囲と第２可動体の移動範囲とが、支持体の表裏方向において重なるよう設定される。
（８）支持体は、設置部材の設置壁部における下板部に配設されて、該支持体から上方へ延出する可動体を備えたものであってもよい。また、支持体は、設置部材の設置壁部における左板部または右板部に配設されて、該支持体から横方向へ延出する可動体が昇降移動するよう構成されたものであってもよい。
（９）第２可動体は、可動意匠体を移動する作動手段を可動基体に備えて、該可動意匠体を作動手段で移動させることで、本体幅を移動時本体幅および収容時本体幅に変化するよう構成したものであってもよい。このような構成によれば、付勢手段や押付け部を省略することができる。
（１０）第１可動体を、本体幅が移動時本体幅および収容時本体幅に変化するよう構成してもよいし、第１可動体および第２可動体の両方を、本体幅が移動時本体幅および収容時本体幅に変化するよう構成してもよい。
（１１）第１可動体の第１装飾部材および第２可動体の第２装飾部材は、夫々が単独で所定の意匠を形成するものであってもよい。
（１２）可動体に配設されてフラットケーブルが接続される電気部品は、発光基板に限るものではなく、スピーカ、スイッチ、検知センサ、電動モータ、電磁ソレノイド、液晶表示装置等であってもよい。
（１３）ガイド部を、上下方向で対向する一方のガイド壁および他方のガイド壁から構成して、該ガイド部に配設されるフラットケーブルの余剰部を、上方に位置する一方のガイド壁の下面に沿って可動体の往復移動方向に延在する第１延在部と、下方に位置する他方のガイド壁に上面に沿って可動体の往復移動方向に延在する第２延在部と、一方のガイド壁と他方のガイド壁との間で円弧状に折り返して、第１延在部および第２延在部に連なる湾曲部とから構成してもよい。
（１４）実施例では、統括制御基板により可動演出装置を作動制御するようにしたが、主制御基板により可動演出装置を作動制御するようにしてもよい。
（１５）実施例では、遊技機としてのパチンコ機を示したが、遊技機はパチンコ機に限られるものではなく、アレンジボール機やスロットマシン等であってもよい。
【符号の説明】
【００９４】
５２ 第１可動体)，５３ 第２可動体，１０８ 第１発光基板(電気部品)
１１６ 延出部，１１７ｂ 第１上摺動部(摺動部)，１１７ｃ 退避部，１２０ 移動部
１２８ 第２発光基板(電気部品)，１３７ 延出部，１３８ｂ 第２上摺動部(摺動部)
１３８ｃ 退避部，１４６ 移動部，１５０ ガイド部
１５１ 第１ガイド壁(他方のガイド壁)，１５２ 第２ガイド壁(一方のガイド壁)
１５５ 第１挿通部(挿通部)，１５６ 第２挿通部(挿通部)，１６５ 余剰部
１６５ａ 第１延在部，１６５ｂ 第２延在部，１６５ｃ 湾曲部
ＦＷ１ 第１フラットケーブル(フラットケーブル)
ＦＷ２ 第２フラットケーブル(フラットケーブル)
【図１】
0006284852.tif 000002
【図２】
0006284852.tif 000003
【図３】
0006284852.tif 000004
【図４】
0006284852.tif 000005
【図５】
0006284852.tif 000006
【図６】
0006284852.tif 000007
【図７】
0006284852.tif 000008
【図８】
0006284852.tif 000009
【図９】
0006284852.tif 000010
【図１０】
0006284852.tif 000011
【図１１】
0006284852.tif 000012
【図１２】
0006284852.tif 000013
【図１３】
0006284852.tif 000014
【図１４】
0006284852.tif 000015
【図１５】
0006284852.tif 000016
【図１６】
0006284852.tif 000017
【図１７】
0006284852.tif 000018
【図１８】
0006284852.tif 000019
【図１９】
0006284852.tif 000020